(57)【特許請求の範囲】
【請求項１】
伝動用ローラチェーンのピンリンクに対して脱着可能に装着されて該ローラチェーンを被固定部に固定する部材であって、
互いに平行な一対のプレート部と、このプレート部同士を連結するブロック状の連結部とを備えた断面コ字型の形状を有し、各プレート部に前記ピンリンクの各リンクプレートに嵌合する嵌合部が設けられるとともに、前記連結部にボルト等による固定用の貫通孔が設けられ、各プレート部の間にピンリンクを介装することによりピンリンクに対して装着され、この装着状態において、各プレート部がピンリンクに嵌合して各プレート部材とピンリンクとの相対変位を阻止するように構成されていることを特徴とするローラチェーンの固定部材。
【請求項２】
請求項１記載のローラチェーンの固定部材において、
全体が前記貫通孔の軸方向であって前記各プレート部を分離する複数の部分に分割可能に構成されていることを特徴とするローラチェーンの固定部材。
【請求項３】
可動部及び固定部の一方側に伝動用ローラチェーンが固定されるとともに、他方側に前記ローラチェーンに噛合するスプロケットが回転可能に設けられ、このスプロケットの回転に伴い前記可動部が移動するように構成されるチェーン式伝動機構において、
前記ローラチェーンの少なくとも一つのピンリンクに対して請求項１又は２記載のローラチェーンの固定部材が装着され、該固定部材の貫通孔にボルトが挿通されて該ボルトが可動部又は固定部に螺合装着されることにより前記ローラチェーンが可動部又は固定部に対して固定されていることを特徴とするチェーン式伝動機構。
【請求項４】
請求項３記載のチェーン式伝動機構において、
前記可動部又は固定部にチェーン固定用の凹部が形成され、前記固定部材がこの凹部に嵌め込まれた状態で可動部又は固定部に固定されていることを特徴とするチェーン式伝動機構。
【発明の詳細な説明】
【０００１】
【発明の属する技術分野】
本発明は、工作機械等に適用される所謂チェーン式の伝動機構に適したローラチェーンの固定部材およびチェーン式伝動機構に関するものである。
【０００２】
【従来の技術】
従来から、工作機械等においては、回転可能に支持されたワーク保持用のテーブル（あるいはドラム等）の周囲に伝動用ローラチェーン（以下、チェーンと略す）を巻回した状態で固定し、このチェーンにモータ駆動のスプロケットを噛合させて前記モータの作動により前記テーブルを回転駆動することが一般に行われている。
【０００３】
上記のような所謂チェーン式の伝動機構では、動力を適切に伝達するためにチェーンをテーブルに対して弛みなく、かつ蛇行なく固定することが要求される。そのため、一般には、アタッチメント付きチェーン、すなわちボルトによる固定部分を有するリンクプレート（アタッチメント）をリンクに組込んだチェーンを使用し、前記アタッチメントをボルトでテーブルに固定することによりテーブルに対してチェーンをその長手方向の複数箇所で固定することが行われている。
【０００４】
【発明が解決しようとする課題】
しかし、アタッチメントにおけるボルトの固定部分は、リンクプレートに舌片状の部分を形成し、この舌片状の部分にボルト孔を形成しただけの構成であるため強度的に十分なものとはいえず、大きな動力を伝達する場合や、テーブルを長期に亘って駆動していると、ボルトで固定した舌片状の部分が変形する等してチェーンに弛みが生じ、スプロケットとチェーンの噛み合いが悪化する場合がある。
【０００５】
そこで、リンク毎、あるいは２〜４リンク毎といった狭い間隔でアタッチメントを組付けたチェーンを使用し、これによりチェーンの固定強度を高めることが行われているが、この場合には、アタッチメントの増設によりチェーン自体が高価になるばかりか、テーブルにリンク固定用の多数のねじ孔を加工する必要があり、またチェーンの固定に多数のボルトを必要とすることとなる。そのため、工作機械等の製作コストが高くなるという問題がある。
【０００６】
本発明は、前記課題に鑑みてなされたものであって、上記のようなチェーン式の伝動機構として、強度的に有利で、しかも安価な伝動機構を構築できるようにすることを目的としている。
【０００７】
【課題を解決するための手段】
前記課題を解決するために、本発明の固定部材は、伝動用ローラチェーンのピンリンクに対して脱着可能に装着されて該ローラチェーンを被固定部に固定する部材であって、互いに平行な一対のプレート部と、このプレート部同士を連結するブロック状の連結部とを備えた断面コ字型の形状を有し、前記各プレート部にピンリンクの各リンクプレートに嵌合する嵌合部を備えるとともに、前記連結部にボルト等による固定用の貫通孔を備え、各プレート部の間にピンリンクを介装することによりピンリンクに対して装着され、この装着状態において各プレート部がピンリンクに嵌合して各プレート部材とピンリンクとの相対変位を阻止するように構成されているものである（請求項１）。
【０００８】
この固定部材によると、ピンリンクを各プレート部の間に介装することによりローラチェーンに固定部材を装着し、この状態で固定用の貫通孔を用いて固定部材をボルト止めすれば、各ピンリンクと各リンクプレートとが嵌合して相互に変位不能な状態となっているので、チェーンを被固定部に対して固定することができる。このような固定状態においては、固定用リンクのボルト止め部分、つまり連結部が強度的に有利なブロック状の形状となっているため、チェーンに大きな荷重が作用等した場合でもチェーンを頑丈に固定することができる。
【０００９】
なお、このような固定部材においては、全体を前記貫通孔の軸方向であって前記各プレート部を分離する複数の部分に分割可能に構成するのが好ましい（請求項２）。
【００１０】
このようにすれば、固定部材の装着に際して各プレート部とリンクプレートを容易に嵌合させることができるようになる。また、各分割片を一体化した状態で貫通孔にボルトを通して被固定部に螺着すれば、各分割片を共通のボルトで固定（共締め）することができ合理的な構成となる。
【００１１】
なお、このような固定部材は、例えば、可動部及び固定部の一方側に伝動用ローラチェーンを固定するとともに、他方側に前記ローラチェーンに噛合するスプロケットを回転可能に設け、このスプロケットの回転に伴い前記可動部を移動させるようにした、所謂チェーン式伝動機構において最適である。つまりローラチェーンの少なくとも一つのピンリンクに対して請求項１又は２記載の固定部材を装着し、該固定部材の貫通孔にボルトを挿通して該ボルトを可動部又は固定部に螺合装着することによってローラチェーンを可動部又は固定部に対して固定するようにすれば（請求項３）、チェーンを可動部又は固定部に対して頑丈に固定することができる。
【００１２】
なお、この場合、可動部又は固定部にチェーン固定用の凹部を形成し、固定部材をこの凹部に嵌め込んだ状態で固定するようにすれば（請求項４）、固定部材が確実に位置決めされることとなり、チェーンをより頑丈に固定することができるようになる。
【００１３】
【発明の実施の形態】
本発明の第１の実施の形態について図面を用いて説明する。
【００１４】
図１及び図２は、本発明の適用例である工作機械の一部を概略的に示している。この工作機械１０において、符号１２はワークを保持するための円形のテーブルを示している。このテーブル１２は、その下面（裏面）中央に支持軸１４を有しており、この支持軸１４がベアリング１６等を介して基台１上に支持されることにより基台１に対して回転可能に支持され、以下のようなチェーン式の伝動機構により回転駆動されるようになっている。
【００１５】
チェーン式の伝動機構は、これらの図に示すようにテーブル１２に固定される無端状の伝動用ローラチェーン２０（以下、単にチェーン２０という）と、このチェーン２０に噛合し、前記基台１に固定されたモータ２の出力軸に減速機等を介して連結されるスプロケット３とを有しており、モータ２の回転駆動力をスプロケット３及びチェーン２０を介してテーブル１２に伝達することによってテーブル１２を回転駆動するように構成されている。
【００１６】
前記チェーン２０は、図３に示すように、基本的にはローラリンク２２及びピンリンク２４を交互に配列し、隣設されるリンク２２，２４同士をピン２５で連結した一般的な伝動用ローラチェーンの構成を有しているが、同図に示すようにピンリンク２４の一つとして固定用リンク２６が連結された構成となっており、この点で一般的な伝動用ローラチェーンと構成が異なっている。
【００１７】
固定用リンク２６は、同図及び図５に示すように、一対のリンクプレート２８ａと、これらのプレート同士を連結する連結部２８ｂとを有した断面コ字型の形状を有しており、例えば切削加工、あるいは鋳造等により全体が一体に形成されている。特に、連結部２８ｂは同図に示すように縦横（図５において縦横）に十分な厚みを有するブロック状に構成されており、ここにリンクプレート２８ａの配列方向（図５では上下方向）に貫通する一対のボルト孔３４（固定用の貫通孔）が穿設されている。また、各リンクプレート２８ａには、図示を省略しているが一対の連結用孔が形成されている。そして、隣設されるローラリンク２２が両リンクプレート２８ａの間に介装された状態で固定用リンク２６の一方側のリンクプレート２８ａの外側から各連結用孔にボルト３０がそれぞれ挿入され、これらのボルト３０に対して固定用リンク２６の他方側のリンクプレート２８ａの外側からナット３２がそれぞれ螺着されることにより、隣設されるローラリンク２２と前期固定用リンク２６とが連結されている。なお、固定用リンク２６と各ローラリンク２２との連結は、他のリンク同士の連結と同様にピン２５を用いて行ってもよい。なお、図３中、符号２２ａ及び２４ａは、ローラリンク２２およびリンクプレート２４ａのリンクプレートを示している。
【００１８】
前記チェーン２０は、図１及び図２に示すように、テーブル１２の下面に形成された円形のボス状取付部１２ａに巻回されて無端状に連結された状態で前記固定用リンク２６を介して取付部１２ａに固定され、さらに脱落防止用の支持板３６により下方から支えられることにより、テーブル１２（取付部１２ａ）の周囲に弛みなく、また蛇行することなく取付けられている。
【００１９】
固定用リンク２６は、取付部１２ａの周方向一箇所に設けられた固定用凹部１３に嵌め込まれ、上記ボルト孔３４を通じて固定用リンク２６の下側からこの固定用凹部１３に形成されたねじ孔にボルト３６が螺着されることにより固定されている。なお、固定用凹部１３は、略固定用リンク２６の輪郭に対応して形成されており、これによって固定用リンク２６がテーブル１２に対して位置決めされ、チェーン２０に作用する引張り荷重に対して固定用リンク２６が簡単にずれることがない様にされている。
【００２０】
支持板３６は、薄板状の部材で、図６に示すように取付部１２ａの下面にボルト３８で固定されており、チェーン２０を下側から支えてテーブル１２からチェーン２０が脱落するのを防止するようになっている。なお、支持板３６は、当実施形態では、図２に示すように前記固定用リンク２６を基点として周方向に等間隔で５箇所設けられている。
【００２１】
以上のように構成された工作機械１０によると、前記モータ２が作動してスプロケット３が回転すると、その回転がチェーン２０を介してテーブル１２に伝達され、これによってテーブル１２が回転駆動されることとなる。
【００２２】
このようなテーブル１２の駆動において、チェーン２０の固定部分、つまり固定用リンク２６には、スプロケット３からチェーン２０に回転力が伝達される際に例えば周方向に引張り荷重が作用することとなるが、固定用リンク２６のボルト止め部分である上記連結部２８ｂは、上述したようにブロック状に形成された強度的に有利な形状となっているため容易に変形することがなく、しかも、固定用リンク２６がテーブル１２に形成された固定用凹部１３に嵌め込まれた状態で固定されているためテーブル１２に対して固定用リンク２６が容易にずれることがない。そのため、少ない固定箇所（当実施形態では一箇所）でチェーン２０を頑丈に固定することができる。
【００２３】
従って、リンク毎、あるいは２〜４リンク毎といった狭い間隔でアタッチメントを組付けたチェーンを使用する従来の装置と同様に、チェーンの弛み等を長期に亘って防止するという効果を得ながらも、構造的にはチェーン２０自体が安価で、テーブル１２側の加工も少なくて済み、さらにチェーン２０を固定するためのボルトも少なくて済むため、工作機械１０を従来に比べて安価に提供することができるという効果がある。
【００２４】
なお、この実施形態のチェーン２０では、固定用リンク２６を一つだけ組込んでいるが（すなわち、チェーン２０の固定箇所が一箇所であるが）、固定用リンク２６の数は、チェーン２０の長さや作用する荷重等に応じて複数個設けるようにしてもよい。このようにチェーン２０を複数箇所で固定するようにすれば、チェーン２０をテーブル１２に対してより頑丈に固定することが可能となる。
【００２５】
また、上記実施形態では、ピンリンク２４の一つとして固定用リンク２６を設けているが、例えば、ローラリンク２２の一つとして固定用リンク２６を設けるようにしてもよい。つまり、ローラリンク２２のリンクプレート２２ａに相当する一対のリンクプレートと、これらを連結するブロック状の連結部分を備えた固定用リンク２６を構成してもよい。
【００２６】
さらに、上記の固定用リンク２６では、ボルト孔３４がリンクプレート２８ａの配列方向に貫通して設けられているが、ボルト孔３４は、例えば、両リンクプレート２８ａの間であって、リンクプレート２８ａの配列方向と直行する方向（図５の左右方向）に貫通するものであってもよい。なお、この場合、固定用リンク２６をチェーン２０に組込んだ状態ではボルト挿入に際してローラリンク２２等が邪魔になるため、固定用リンク２６をチェーン２０から分離した単独の状態で取付部１２ａに固定しておき、後からチェーン２０（ローラリンク２２）を固定用リンク２６に連結するようにすればよい。
【００２７】
次に、本発明の第２の実施の形態について説明する。
【００２８】
なお、第２の実施形態は、第１の実施形態の工作機械においてチェーン及びその固定構造が異なるものであるため、第１の実施形態と共通の部材については同一符号を付して説明を省略し、以下に相違点についてのみ詳しく説明することとする。
【００２９】
図７及び図８は、工作機械の要部、すなわちテーブル１２（取付部１２ａ）へのチェーン２０の固定部分を示している。第２の実施形態では、チェーン２０として通常のチェーン、すなわちリンクとしてローラリンク２２及びピンリンク２４のみを有し上記固定用リンク２６を備えていないチェーン２０が使用されており、このチェーン２０が固定部材４０によってテーブル１２に固定されている。
【００３０】
固定部材４０は、分離可能な３点の部品から構成されており、具体的には、テーブル１２のピンリンク２４に嵌合装着される一対のプレート部材４２（プレート部）と、これらプレート部材４２の間に介在して両プレート部材４２を連結するブロック状のスペーサ４３（連結部）とから構成されている。
【００３１】
プレート部材４２には、チェーン２０のピンリンク２４に対応する（外嵌可能な）細長の貫通孔４２ａ（長孔４２ａという；嵌合部）と、一対のボルト孔４２ｂとが並べて形成されており、一方スペーサ４３には、プレート部材４２の前記ボルト孔４２ｂに対応する一対のボルト孔４３ｂが形成されている。
【００３２】
そして、チェーン２０がテーブル１２の上記ボス状取付部１２ａに無端状に巻回された状態で、その周方向における複数箇所が固定部材４０を介して取付部１２ａに固定されることによりチェーン２０がテーブル１２に固定されている。
【００３３】
固定部材４０によるチェーン２０の固定は次のようにして行われている。すなわち、プレート部材４２の長孔４２ａにピンリンク２４のリンクプレート２４ａが嵌入されることによって各プレート部材４２がチェーン２０の外側（図８では上下両側）からピンリンク２４に外嵌装着される。そして、両プレート部材４２の間にスペーサ４３が介入され、プレート部材４２のボルト孔４２ｂとスペーサ４３のボルト孔４３ｂとに亘ってボルト３６が挿入され、該ボルト３６が取付部１２ａに形成されたねじ孔に螺着されることにより各プレート部材４２及びスペーサ４３が取付部１２ａに共締めされている。これによりチェーン２０が固定部材４０を介してテーブル１２に固定されている。なお、テーブル１２の取付部１２ａには、その周方向に所定の間隔で固定部材４０の輪郭を有する固定用凹部１３が形成されており、各固定部材４０はこの固定用凹部１３に嵌め込まれた状態でテーブル１２に固定されている。
【００３４】
以上のような第２の実施形態の工作機械１０によると、チェーン２０は固定部材４０によってテーブル１２に固定されているが、上記のようにピンリンク２４のリンクプレート２４ａが固定部材４０のプレート部材４２の長孔４２ａに嵌入された状態で固定部材４０がチェーン２０に装着されていることにより、チェーン２０に引張り荷重が作用してもチェーン２０が固定部材４０から容易に離脱することがなく、また、固定部材４０のボルト止め部分（すなわちスペーサ４３等の部分）は、上述したようにブロック状に形成されて強度的に有利な形状となっているため容易に変形することがない。そのため、この実施形態においても、第１の実施形態と同様に、チェーン２０を少ない固定箇所で頑丈に固定することができるという効果がある。
【００３５】
しかも、この第２の実施形態では、チェーン２０として通常の伝動用ローラチェーンを使用するので、特殊なチェーンを使用する場合に比べて製作コストを抑えることができ、これにより工作機械１０をより安価に提供することが可能となるという効果もある。
【００３６】
なお、この実施形態では、固定部材４０が３分割構造とされ、各プレート部材４２及びスペーサ４３をボルト４５により共締めするように構成されているが、例えば一方側のプレート部材４２とスペーサ４３とを一体構成とした２分割構造としてもよく、要するに固定部材４０の具体的な形状や、その分割形態等は、被固定位置等との関係で適宜選定するようにすればよい。
【００３７】
また、固定部材４０は全体が一体に形成されているものであってもよい。例えば、各プレート部材４２に長孔４２ａに通じる切り欠きを形成する等、ピンリンク２４に固定部材４０を分割することなくそのまま装着できるような形状的工夫を持たせることにより固定部材４０の全体を一体に形成することができる。
【００３８】
なお、以上説明した第１及び第２の実施形態は、本発明をテーブル１２（可動部）を回転駆動するためのチェーン式伝動機構に適用した例について説明したが、勿論、本発明は、可動部を直線的に移動させるようなチェーン式伝動機構にも適用可能である。
【００３９】
【発明の効果】
以上説明したように、本発明に係るローラチェーンの固定部材によると、ピンリンクを各プレート部の間に介装することによりローラチェーンに固定部材を装着し、この状態で固定用の貫通孔を用いて固定部材をボルト止めすれば、各ピンリンクと各リンクプレートとが嵌合して相互に変位不能な状態となっているので、チェーンを被固定部に対して固定することができる。このような固定状態においては、固定用リンクのボルト止め部分、つまり連結部が強度的に有利なブロック状の形状となっているため、チェーンに大きな荷重が作用等した場合でもチェーンを頑丈に固定することができる。
【図面の簡単な説明】
【図１】本発明が適用される工作機械（第１の実施の形態）を示す断面図である。
【図２】工作機械に組み込まれているチェーン式伝動機構を示す図１のＡ−Ａ断面図である。
【図３】チェーン式伝動機構に適用される伝動用ローラチェーンを示す斜視概略図である。
【図４】チェーンの固定部分を示す図２中符号Ｂで示す部分の拡大図である。
【図５】チェーンの固定部分を示す図４のＣ−Ｃ断面図である。
【図６】チェーンの支持部分を示す図２のＤ−Ｄ断面図である。
【図７】本発明が適用される工作機械（第２の実施の形態）に組み込まれているチェーン式伝動機構のチェーンの固定部分を示す要部平面図である。
【図８】チェーンの固定部分を示す図７のＥ−Ｅ断面図である。
【符号の説明】
１  基台
２  モータ
３  スプロケット
１０  工作機械
１２  テーブル
２０  チェーン
２２  ローラリンク
２４  ピンリンク
２５  ピン
２６  固定用リンク
２８ａ  リンクプレート
２８ｂ  連結部（連結部分）
３４  ボルト孔
【図１】
0003609998.tif 000002
【図２】
0003609998.tif 000003
【図３】
0003609998.tif 000004
【図４】
0003609998.tif 000005
【図５】
0003609998.tif 000006
【図６】
0003609998.tif 000007
【図７】
0003609998.tif 000008
【図８】
0003609998.tif 000009